(57)【要約】【課題】均圧管を配設するには、各種機器とドレン検出槽を接続する必要があるが邪魔であった。  また、均圧管の材料費、及び各種機器やドレン検出槽に孔あけ加工する費用と配管を接続する為の費用等を必要とした。  更に、均圧管を配設することは、空気洩れ等のクレームが発生する可能性もあった。【解決手段】ドレン水が発生する各種機器１０から狭くなった配管部２０、１１１、１１２を連通しているドレン検出槽３０Ａに位置しているドレンセンサー３５と、ドレン排出弁４０と、ドレンセンサー３５やドレン排出弁４０に信号を受け渡しすることが出来て時間を計測する機能を持った制御部５０Ａを配設し、制御部５０Ａがドレン排出開始信号を発し、ドレンセンサー３５がドレン水の存在を感知している場合は感知している間、ドレンセンサー３５がドレン水の存在を感知していない場合は減圧の目的で微小時間のドレン水排出信号１３３によってドレン排出弁４０がドレン水の排出を行うように構成している。【選択図】            図１
2004257545.tif 000002
【特許請求の範囲】
【請求項１】
圧縮空気から発生したドレン水を狭くなった配管部（２０、１１１、１１２）を経由してドレン検出槽（３０Ａ）に貯留した状態から一定の周期（Ｔ）で排出するに際し、前記ドレン検出槽（３０Ａ）内に位置しているドレン水検知手段（３５）がドレン水の存在を感知している場合は感知している間、前記ドレン水検知手段（３５）がドレン水の存在を感知していない場合は減圧の目的で微小時間（Δｔ）の間、ドレン水の排出を行うことを特徴とするドレン水の排出方法。
【請求項２】
前記ドレン水検知手段（３５）がドレン水の存在を感知している場合は決められた最大の時間（ｔ）に限定することを特徴とする請求項１に記載のドレン水の排出方法。
【請求項３】
圧縮空気よりドレン水を発生させる各種機器（１０）からドレン水が通過する狭くなった配管部（２０、１１１、１１２）に連通しているドレン検出槽（３０Ａ）に位置していてドレン水の存在を検知するドレンセンサー（３５）と、ドレン水を排出するドレン排出弁（４０）と、前記ドレンセンサー（３５）から信号を受信したり前記ドレン排出弁（４０）に信号を発信することが出来て時間を計測するタイマー機能を持った制御部（５０Ａ、５０Ｂ）を配設し、前記制御部（５０Ａ、５０Ｂ）がドレン排出開始信号を発した際に、前記ドレンセンサー（３５）がドレン水の存在を感知している場合は感知している間ドレン水検知によるドレン水排出信号（１３１、１３２、１３４、１３５）によって、前記ドレンセンサー（３５）がドレン水の存在を感知していない場合は減圧の目的で微小時間（Δｔ）の間微小時間のドレン水排出信号（１３３、１３６）によって前記ドレン排出弁（４０）がドレン水の排出を行うように構成していることを特徴とするドレン水の排出装置。
【請求項４】
前記制御部（５０Ａ）からのドレン排出開始信号は、前記制御部（５０Ａ）から一定の周期（Ｔ）でなされるものであるように構成していることを特徴とする請求項３に記載のドレン水の排出装置。
【発明の詳細な説明】
【０００１】
【発明の属する技術分野】
本発明は、ドレン水の排出方法および排出装置に関する技術であって、更に詳細に述べると、いかにしたら圧縮空気の無駄な排出をせずに圧縮空気より発生したドレン水を円滑に排出弁から排出することが出来るかという技術に関するものである。
【０００２】
【従来の技術】
従来、ドレン水の排出方法および排出装置としては、図５に見られるように、エアーコンプレッサ（図示せず）で作り出された圧縮空気が、圧縮空気吐出配管１０１、１０２を通過するが、その途中に配設されたアフタークーラやエアータンクやエアードライヤやエアーフィルタ等の各種機器１０でドレン水を発生していた。
【０００３】
ここで、各種機器１０で発生したドレン水は、ドレン配管１１１と開閉弁２０とドレン配管１１２とストレーナ３１を通ってドレン検出槽３０Ｚに送り込まれると、順次ドレン水の液面が上昇してドレンセンサー３５がドレン水の存在を確認することでドレンセンサー情報１２１が制御部５０Ｚに送られていた。  そして、制御部５０Ｚからは、ドレン水検知によるドレン水排出信号１３９を、ドレン検出槽３０Ｚからドレン配管１１３で接続している排出弁４０に送り、その事によって排出弁４０を開放しドレン水を排出していた。
【０００４】
一方、ドレン水の貯留された状況をドレンセンサー情報１２１としてとらえることにより、ドレンセンサー情報１２１においてドレン水を感知しているという信号が消えるとそれに対応して発していたドレン水検知によるドレン水排出信号１３９も送信を止め、排出弁４０によるドレン水の排出も停止するようになっていた。
【０００５】
尚、各種機器１０からドレン水がドレン配管１１１と開閉弁２０とドレン配管１１２とストレーナ３１を通ってドレン検出槽３０Ｚに送り込まれた際に、ドレン検出槽３０Ｚに圧縮空気が充満していて排出弁４０が閉じた状態になっていると、ドレン配管１１１と開閉弁２０とドレン配管１１２とストレーナ３１の内径が細くドレン水の通る部分が狭い程ドレン水は流入しにくい状態になる。  また、各種機器１０とドレン検出槽３０Ｚ内の圧縮空気の圧力の関係からも、微妙にドレン水が流入しにくいことがあった。
【０００６】
その為、ドレン水がドレン配管１１１と開閉弁２０とドレン配管１１２とストレーナ３１を通ってドレン検出槽３０Ｚに送り込まれると、ドレン検出槽３０Ｚ内の圧縮空気を容易に排出することが出来るようにドレン検出槽３０Ｚと各種機器１０との間に均圧管１９１を設けていた。
【０００７】
その他に、従来の技術の別の技術として、具体的に図示してはいないが、ドレンセンサー３５に加えてその下部に別のドレンセンサーを配設して制御部５０Ｚと接続し、ドレン水の排出を一定時間継続するのではなく、ドレンセンサー３５からのドレン水を検出してから別のドレンセンサーがドレン水を検出している迄の間ドレン水の排出を継続して行なうことも考えられていた。
【０００８】
また、ドレン排出の開始は、一定の周期で行ない、その間にドレン水の存在を確認するドレンセンサー情報１２１が有る場合だけドレン水検知によるドレン水排出信号１３９を発信することによって排出を行なうことも考えられていた。
【０００９】
【発明が解決しようとする課題】
しかしながら、このような従来の、ドレン水の排出方法および排出装置に関する技術に関しては、以下に示すような課題があった。
【００１０】
第一に、均圧管を配設するということは、各種機器とドレン検出槽を接続する必要があり、そのように構成しようとするのは非常に邪魔であった。
【００１１】
第二に、均圧管の材料費、及び各種機器やドレン検出槽に孔あけ加工する為の費用や配管を接続する為の費用等を必要とした。
【００１２】
第三に、均圧管を配設するということは、空気洩れ等のクレームが発生する可能性を意味していた。
本発明はこのような課題を解決することを目的としている。
【００１３】
【課題を解決するための手段】
本発明は、圧縮空気から発生したドレン水を狭くなった配管部２０、１１１、１１２を経由してドレン検出槽３０Ａに貯留した状態から一定の周期Ｔで排出するに際し、前記ドレン検出槽３０Ａ内に位置しているドレン水検知手段３５がドレン水の存在を感知している場合は感知している間、前記ドレン水検知手段３５がドレン水の存在を感知していない場合は減圧の目的で微小時間Δｔの間、ドレン水の排出を行うことを特徴とし、更には、前記ドレン水検知手段３５がドレン水の存在を感知している場合は決められた最大の時間ｔに限定することを特徴とすることによって、上記課題を解決した。
【００１４】
また、本発明は、圧縮空気よりドレン水を発生させる各種機器１０からドレン水が通過する狭くなった配管部２０、１１１、１１２に連通しているドレン検出槽３０Ａに位置していてドレン水の存在を検知するドレンセンサー３５と、ドレン水を排出するドレン排出弁４０と、前記ドレンセンサー３５から信号を受信したり前記ドレン排出弁４０に信号を発信することが出来て時間を計測するタイマー機能を持った制御部５０Ａ、５０Ｂを配設し、前記制御部５０Ａ、５０Ｂがドレン排出開始信号を発した際に、前記ドレンセンサー３５がドレン水の存在を感知している場合は感知している間ドレン水検知によるドレン水排出信号１３１、１３２、１３４、１３５によって、前記ドレンセンサー３５がドレン水の存在を感知していない場合は減圧の目的で微小時間Δｔの間微小時間のドレン水排出信号１３３、１３６によって前記ドレン排出弁４０がドレン水の排出を行うように構成していることを特徴とし、更には、前記制御部５０Ａからのドレン排出開始信号は、前記制御部５０Ａから一定の周期Ｔでなされるものであるように構成していることを特徴とすることによって、上記課題を解決した。
【００１５】
【発明の実施の形態】
本願発明による、ドレン水の排出方法および排出装置を図面と共に詳細に説明する。
ここで、図１は、本願発明による第一実施例を示した図であり、図２は、本願発明による第一実施例の作動の状況を示した図であり、図３は、本願発明による第二実施例を示した図を示したものであり、図４は、本願発明による第二実施例の作動の状況を示した図である。
【００１６】
（第一実施例）
図１に見られるように、１０は各種機器であり、具体的には、アフタークーラやエアータンクやエアードライヤやエアーフィルタ等である。  この場合、各種機器１０は、エアーコンプレッサ（図示せず）で作り出された圧縮空気が、圧縮空気配管１０１、１０２を通過する途中に配設されている。  従って、各種機器１０では、ドレン水が発生する。
【００１７】
ここで、各種機器１０で圧縮空気より発生したドレン水は、ドレン配管１１１と開閉弁２０とドレン配管１１２と各種の異物を除去する目的のストレーナ３１を通ってドレン検出槽３０Ａに送り込まれ、その過程で制御部５０Ａがドレン排出開始信号を一定の周期Ｔで発信し、ドレン検出槽３０Ａにおいてはドレン水の液面が上昇することによって、ドレン水検知手段３５としてのドレンセンサー３５がドレン水の存在を確認すると、ドレンセンサー情報１２１が制御部５０Ａに送られるように構成されている。  そして、制御部５０Ａからはドレン水検知によるドレン水排出信号１３１、１３２が、ドレン検出槽３０Ａとドレン配管１１３で接続している排出弁４０に送られ、その間排出弁４０を開放するようになっている。
【００１８】
ここで、ドレンセンサー情報１２１の処理に関しては、制御部５０Ａがドレン排出開始信号を一定の周期Ｔで発信する中で、制御部５０Ａが発する信号としては、ドレンセンサー情報１２１を受信している間を通して発するドレン水検知によるドレン水排出信号１３１と、ドレンセンサー情報１２１を受信している間でも決められた最大の時間ｔに限定して信号を発するドレン水検知によるドレン水排出信号１３２の両者が考えられる。
【００１９】
一方、制御部５０Ａがドレン排出開始信号を発信する中で、何等かの事情によってドレン検出槽３０Ａにドレン水が流入出来なくなり、ドレンセンサー３５がドレン水の存在を確認しない場合には、ドレンセンサー情報１２１が制御部５０Ａに送られることはない。  その場合には、制御部５０Ａからは微小時間のドレン水排出信号１３３が、ドレン検出槽３０Ａとドレン配管１１３で接続している排出弁４０に送られ、微小時間Δｔのわずかな間ではあるが排出弁４０を開放するようになっている。
【００２０】
この場合、各種機器１０からドレン水が狭くなった配管部２０、１１１、１１２であるドレン配管１１１と開閉弁２０とドレン配管１１２とストレーナ３１を通ってドレン検出槽３０Ａに送り込まれる際、ドレン検出槽３０Ａに圧縮空気が充満していて排出弁４０が閉じた状態になっていると、ドレン配管１１１と開閉弁２０とドレン配管１１２とストレーナ３１の内径が小さくドレン水の通る部分が狭い程、ドレン水は流入しにくいと言える。
【００２１】
また、各種機器１０内とドレン検出槽３０Ａ内の圧縮空気の圧力関係からも微妙にドレン水が流入しにくいこともある。
【００２２】
ここで、ドレンセンサー３５を配設する位置としては、圧縮空気が最も滞留し易いドレン検出槽３０Ａの最上部が望ましい。
【００２３】
特に、本願発明の特徴とするところを記載すると、ドレンセンサー３５がドレン水の存在を確認しない場合、即ち圧縮空気がドレン検出槽３０Ａに滞留する等の理由でドレン水がドレン検出槽３０Ａに流入しにくい場合には、ドレンセンサー情報１２１が制御部５０Ａに送られることはない。  その場合には、制御部５０Ａからは、ドレンセンサー３５からの圧縮空気が充満してドレン水が流入しにくいということから微小時間のドレン水排出信号１３３として微小時間Δｔの排出が指示され、ドレン検出槽３０Ａに滞留した圧縮空気またはドレン水を排出することで、ドレン検出槽３０Ａ内を減圧させドレン水を流入し易くするように構成したのである。
【００２４】
ところで、一定の周期Ｔや、最大の時間ｔや、微小時間Δｔに関して効果的な具体的な値を示すと、一定の周期を０．５ないし１０分間で、最大の時間３ないし３０秒間で、微小時間０．１ないし０．５秒間に設定するとそれなりの効果は見られるが、一つの例として一定の周期を１分間で、最大の時間１０秒間で、微小時間０．２秒間に設定するのが理想的であった。
【００２５】
但し、ドレン検出槽３０Ａと排出弁４０の大きさや、秋や冬の晴天時と夏の多湿時等ドレン水発生の状況によって理想的な設定は変化するものと考えた方が良い。
【００２６】
本発明による、ドレン水の排出方法および排出装置は前述したように構成されており、以下に、その動作について詳細に説明する。
【００２７】
先ず、エアーコンプレッサ（図示せず）で作り出された圧縮空気は、圧縮空気吐出配管１０１、１０２を通過する途中でその間に配設された各種機器１０においてドレン水を発生させる。  ここで、発生したドレン水は、狭くなった配管部２０、１１１、１１２であるドレン配管１１１と開閉弁２０とドレン配管１１２とストレーナ３１を通ってドレン検出槽３０Ａに貯留させられる。  その際、ストレーナ３１では各種の異物が除去される。
【００２８】
そこで、一般的な処理としては、制御部５０Ａに備えているタイマー機能によってドレン排出開始信号を一定の周期Ｔで発信する中で、ドレンセンサー３５がドレン水の存在を確認すると、ドレンセンサー情報１２１として制御部５０Ａに送り、制御部５０Ａからはドレン水検知によるドレン水排出信号１３１、１３２として排出弁４０に送り、信号が送られている間は排出弁４０を開放するようになっている。
【００２９】
この場合、制御部５０Ａが発する信号としては、ドレン排出開始信号を一定の周期Ｔで発信する中で、ドレンセンサー情報１２１を受信している間の最後まで信号を発するドレン水検知によるドレン水排出信号１３１と、決められた最大の時間ｔに限定して信号を発するドレン水検知によるドレン水排出信号１３２の両者が考えられる。
【００３０】
一方、ドレン検出槽３０Ａ内では、ドレン検出槽３０Ａのドレン水が排出弁４０で排出された直後の場合、ドレン配管１１３の接続している部分に近いところからドレン水が滞留していく。  但し、ドレン検出槽３０Ａ内の圧縮空気によって、ドレン水がドレン検出槽３０Ａ内に流入出来ないで各種機器１０内に滞留している場合もある。
【００３１】
この場合、ドレンセンサー３５がドレン水の存在を確認しない為に、ドレンセンサー情報１２１が制御部５０Ａに送られない。  しかし、ドレン排出開始が一定の周期Ｔで成される中で、制御部５０Ａからは微小時間のドレン水排出信号１３３を排出弁４０に送ることで、排出弁４０では微小時間Δｔの開放がなされることによって、ドレン検出槽３０Ａ内の圧縮空気またはドレン水が排出されることで、ドレン検出槽３０Ａ内を減圧させ、各種機器１０からドレン水が容易に流入することが出来るようになるのである。
【００３２】
この事をもう少し具体的に、図２によって説明する。
一つの例として、先ず、Ａ．に見られるように、制御部５０Ａのタイマー機能によって、ドレン排出開始信号を一定の周期Ｔで発信する。  即ち、ドレン排出開始のＳＴＡＲＴ時点が、制御部５０Ａのタイマー機能によって計時されて発信されるようになっているのである。
【００３３】
一方、Ｂ．に見られるように、Ａ．のドレン排出開始信号に重ね合わせて、制御部５０Ａのタイマー機能によって、ドレン排出微小時間ΔｔのＯＮとなる時間が設定可能となっている。即ち、ドレン排出開始信号である一定の周期Ｔ毎に、常時ドレン排出微小時間Δｔを設定して発することが出来るようになっているのである。
【００３４】
また、Ｃ．に見られるように、制御部５０Ａではドレンセンサー３５からのドレンセンサー情報１２１のＯＮの情報を得て伝達することが出来るようになっているのである。
【００３５】
以上の、Ａ．Ｂ．による計時結果や、Ｃ．の情報により、１．に見られるように、排出弁４０に、ドレン排出開始信号を一定の周期Ｔで発信している中で、ドレンセンサー情報１２１が有る場合にはドレンセンサー情報１２１がＯＮの信号を発している間中、ドレン水検知によるドレン水排出信号１３１によってドレン水の排出を指示し、ドレンセンサー情報１２１がＯＦＦの状態になっている間は、微小時間のドレン水排出信号１３３によって微小時間Δｔを単位とするドレン水の排出を指示しているようになっているのである。
【００３６】
尚、別の例として、Ｄ．に見られるように、Ａ．のドレン排出開始信号に重ね合わせて、制御部５０Ａのタイマー機能によって、ドレン排出の際の最大の時間ｔのＯＮとなる時間が設定可能となっている。  即ち、ドレン排出開始信号である一定の周期Ｔ毎に、常時ドレン排出の際の最大の時間ｔを設定して発することが出来るようになっているようになっているのである。
【００３７】
従って、Ａ．Ｂ．Ｄ．による計時結果や、Ｃ．の情報により、２．に見られるように、排出弁４０に、ドレン排出開始信号を一定の周期Ｔで発信している中で、ドレンセンサー情報１２１が有る場合にはドレンセンサー情報１２１がＯＮの信号を発している間、但しドレン排出の際の時間は最大の時間ｔを越えない範囲で、ドレン水検知によるドレン水排出信号１３２によってドレン水の排出を指示し、ドレンセンサー情報１２１がＯＦＦの状態になっている間は、微小時間のドレン水排出信号１３３によって微小時間Δｔを単位とするドレン水の排出を指示しているようになっているのである。
【００３８】
（第二実施例）
図３に見られるように、第二実施例が第一実施例とことなる点は、各種機器１０に上流側ドレンセンサー１５を設けて、上流側ドレンセンサー１５と制御部５０Ｂを接続することで上流側ドレンセンサー情報１２２を入手可能にしたことである。
【００３９】
この場合、上流側ドレンセンサー１５を設けた理由は、第一実施例では、ドレン排出開始信号を一定の周期Ｔで発信するように制御部５０Ａのタイマー機能によって求めたものであるが、第二実施例では、ドレン排出開始信号を上流側ドレンセンサー１５からの上流側ドレンセンサー情報１２２によって入手しようとしているのである。  従って、上流側ドレンセンサー１５がドレン水の存在を感知すると上流側ドレンセンサー情報１２２を発し、その時点がドレン排出開始信号を発信したものと見なしているようになっているのである。
【００４０】
尚、制御部５０Ｂやドレン水検知によるドレン水排出信号１３４、１３５や微小時間のドレン水排出信号１３６も第一実施例と違っているが、ドレン排出開始信号の違いによるものである。
【００４１】
従って、図４を見れば明らかなように、ドレン排出開始信号が、第一実施例では一定の周期Ｔで成されるのに対して、第二実施例では上流側ドレンセンサー１５がドレン水の存在を感知した時点をＳＴＡＲＴとしているのである。  尚、それ以外の、Ｂ．Ｃ．Ｄ．に示している内容に関しては、ドレン排出開始信号開始のタイミング以外は同一の内容であるので省略する。  当然、１．２．に関しても同一のことが言える。
【００４２】
最後に、ドレン排出開始信号に関しては、第一実施例と第二実施例に記載の他に、各種機器１０内やドレン検出槽３０Ａ内に圧力センサーを配設し、その変化する情報によってドレン排出を開始することも考えられる。
【００４３】
【発明の効果】
以上の説明から明らかなように、本発明により、下記のような効果をあげることができる。
【００４４】
第一に、ドレンセンサーを配設して、ドレン水の存在を感知しない場合には減圧の目的で微小時間の間ドレン水の排出を行なうことによって、各種機器で発生したドレン水がドレン検出槽に圧縮空気に妨げられず流入させることが可能となった。
【００４５】
第二に、邪魔となる均圧管の設置が不要となった。
【００４６】
第三に、ドレン水が溜まり過ぎる等のトラブルが少なくなった。
【００４７】
第四に、均圧管等の部品点数が減少することで、装置がすっきりとなった。
【００４８】
第五に、均圧管の材料費、各種機器やドレン検出槽を孔あけ加工の為の費用や配管を接続する為の費用等が不要となった。
【図面の簡単な説明】
【図１】本願発明による第一実施例を示した図
【図２】本願発明による第一実施例の作動の状況を示した図
【図３】本願発明による第二実施例を示した図
【図４】本願発明による第二実施例の作動の状況を示した図
【図５】従来の技術を示した図
【符号の説明】
１０・・・・・各種機器
１５・・・・・上流側ドレンセンサー
２０・・・・・開閉弁（狭くなった配管部）
３０Ａ・・・・ドレン検出槽
３０Ｚ・・・・ドレン検出槽
３１・・・・・ストレーナ
３５・・・・・ドレンセンサー（ドレン水検知手段）
４０・・・・・排出弁
５０Ａ・・・・制御部
５０Ｂ・・・・制御部
５０Ｚ・・・・制御部
１０１・・・・圧縮空気吐出配管
１０２・・・・圧縮空気吐出配管
１１１・・・・ドレン配管（狭くなった配管部）
１１２・・・・ドレン配管（狭くなった配管部）
１１３・・・・ドレン配管
１１４・・・・ドレン配管
１２１・・・・ドレンセンサー情報
１２２・・・・上流側ドレンセンサー情報
１３１・・・・ドレン水検知によるドレン水排出信号
１３２・・・・ドレン水検知によるドレン水排出信号
１３３・・・・微小時間のドレン水排出信号
１３４・・・・ドレン水検知によるドレン水排出信号
１３５・・・・ドレン水検知によるドレン水排出信号
１３６・・・・微小時間のドレン水排出信号
１３９・・・・ドレン水検知によるドレン水排出信号
１９１・・・・均圧管
【図１】
2004257545.tif 000003
【図２】
2004257545.tif 000004
【図３】
2004257545.tif 000005
【図４】
2004257545.tif 000006
【図５】
2004257545.tif 000007